(57)【特許請求の範囲】
【請求項１】
表示領域を有する液晶表示パネルと、
前記液晶表示パネルに光を提供するランプを有する背光装置と、
前記液晶表示パネルの表示領域の縁と側面部とを包む第１フレームと、
前記第１フレームの間に前記パネルと前記背光装置とを支持する第２フレームと、
前記第２フレームに取り付けられ、前記背光装置のランプの一端から引き出され、前記ランプの他端へ導かれた第１のケーブルと前記ランプの他端から引き出された第２のケーブルを共に前記ランプに沿って前記ランプの中央方向に導くようにガイドするガイド部材とを具備し、
前記ガイド部材は、前記第２フレームの外側で結合される第１面と、前記第１面で折り曲げられて前記第２フレームの側壁に当接した第２面を有し、前記第２面は、前記ランプの長手方向に沿って延長されており、前記第１、第２のケーブルが通過するための切欠き部と前記切欠き部に前記第１、第２のケーブルをガイドするために前記表示領域の外側に突出した突出部を有することを特徴とする液晶表示装置モジュール。
【請求項２】
前記ガイド部材は、ステンレス材料であることを特徴とする請求項１に記載の液晶表示装置モジュール。
【請求項３】
前記ガイド部材は、前記ランプに連結される前記第１、第２のケーブルを前記第２フレームの外側で前記ランプの一端からランプの中心に向くようにガイドすることを特徴とする請求項１又は２の内のいずれか一つに記載の液晶表示装置モジュール。
【請求項４】
前記第２フレームは、前記ガイド部材の突出部と対応する突出部を有することを特徴とする請求項３に記載の液晶表示装置モジュール。
【請求項５】
前記第１フレームは、前記ガイド部材の突出部と対応する突出部を有することを特徴とする請求項４に記載の液晶表示装置モジュール。
【請求項６】
表示領域を有する液晶表示パネルと、
前記液晶表示パネルに光を提供するランプを有する背光装置と、
前記液晶表示パネルの表示領域の縁と側面部とを包む第１フレームと、
前記第１フレームの間に前記パネルと前記背光装置とを支持する第２フレームと、
前記背光装置のランプの位置で前記第２フレームの外側の面と接して固定される第１面と、前記第１面に実質的に垂直であり、前記ランプの一端から引き出され、前記ランプの他端へ導かれた第１のケーブルと前記ランプの他端から引き出された第２のケーブルを共に前記ランプに沿って前記ランプの中央方向に導くようにガイドするガイド部を備えた第２面を有する固定ユニットを具備することを特徴とする液晶表示装置モジュール。
【請求項７】
前記固定ユニットの第２面は、前記第２フレームの側壁と接して、前記ガイド部は前記第２面で突出形成されて、前記ランプの中央部方向に向けた引き出し口を有することを特徴とする請求項６に記載の液晶表示装置モジュール。
【請求項８】
表示領域を有する液晶表示パネルと、
前記液晶表示パネルに光を提供するランプを有する背光装置と、
前記液晶表示パネルの表示領域の縁と側面部とを包む第１フレームと、
前記第１フレームの間に前記パネルと前記背光装置とを支持する第２フレームと、
前記背光装置のランプの位置で前記第２フレームの外側に固定されて、前記第２フレームの一辺を形成するように前記ランプの長手方向に沿って延長されて、前記ランプの一端から引き出され、前記ランプの他端へ導かれた第１のケーブルと前記ランプの他端から引き出された第２のケーブルを共に前記ランプに沿って前記ランプの中央方向に導くようにガイドするガイド部を備えた固定ユニットを具備し、前記ガイド部は、前記第２フレームの外側で結合される第１面と、前記第１面で折り曲げられて前記第２フレームの側壁に当接した第２面を有し、前記第２面は、前記ランプの長手方向に沿って延長されており、前記第１、第２のケーブルが通過するための切欠き部と前記切欠き部に前記第１、第２のケーブルをガイドするために前記表示領域の外側に突出した突出部を有することを特徴とする液晶表示装置モジュール。
【請求項９】
表示領域を有する液晶表示パネルと、
前記液晶表示パネルに光を提供するランプを有する背光装置と、
前記液晶表示パネルの表示領域の縁と側面部とを包んで、前記ランプの一端から引き出され、前記ランプの他端へ導かれた第１のケーブルと前記ランプの他端から引き出された第２のケーブルを共に前記ランプに沿って前記ランプの中央方向に導くようにガイドするガイド部を有する第１フレームと、
前記第１フレームの間に前記パネルと前記背光装置とを支持する第２フレームと、
前記第２フレームに取り付けられ、前記背光装置のランプの一端から引き出され、前記ランプの他端へ導かれた第１のケーブルと前記ランプの他端から引き出された第２のケーブルを共に前記ランプに沿って前記ランプの中央方向に導くようにガイドするガイド部材とを具備し、
前記ガイド部材は、前記第２フレームの外側で結合される第１面と、前記第１面で折り曲げられて前記第２フレームの側壁に当接した第２面を有し、前記第２面は、前記ランプの長手方向に沿って延長されており、前記第１、第２のケーブルが通過するための切欠き部と前記切欠き部に前記第１、第２のケーブルをガイドするために前記表示領域の外側に突出した突出部を有することを特徴とする液晶表示装置モジュール。
【請求項１０】
前記第１フレームのガイド部は、前記液晶表示パネルの側面部を包む部分中前記ランプの一端の位置で外側の方に突出した突出部と前記突出部で前記ランプの中央部方向に形成されたケーブル通路を具備することを特徴とする請求項９に記載の液晶表示装置モジュール。
【請求項１１】
前記第２フレームの外側で固定された第１面と前記第１面と実質的に垂直である第２面を有して、前記第１フレームのガイド部の通路と対応する通路を有する固定ユニットをさらに具備することを特徴とする請求項１０に記載の液晶表示装置モジュール。
【請求項１２】
表示領域を有する液晶表示パネルと、
前記液晶表示パネルに光を提供するランプを有する背光装置と、
前記液晶表示パネルの表示領域の縁と側面部とを包んで、前記ランプの一端から引き出され、前記ランプの他端へ導かれた第１のケーブルと前記ランプの他端から引き出された第２のケーブルを共に前記ランプに沿って前記ランプの中央方向に導くようにガイドするガイド部を有する第１フレームと、
前記第１フレームの間に前記パネルと前記背光装置とを支持する第２フレームと、
前記第２フレームに取り付けられ、前記背光装置のランプの一端から引き出され、前記ランプの他端へ導かれた第１のケーブルと前記ランプの他端から引き出された第２のケーブルを共に前記ランプに沿って前記ランプの中央方向に導くようにガイドするガイド部材とを具備し、
前記ガイド部材は、前記第２フレームの外側で結合される第１面と、前記第１面で折り曲げられて前記第２フレームの側壁に当接した第２面を有し、前記第２面は、前記ランプの長手方向に沿って延長されており、前記第１、第２のケーブルが通過するための切欠き部と前記切欠き部に前記第１、第２のケーブルをガイドするために前記表示領域の外側に突出した突出部を有する液晶表示装置モジュールと、
前記液晶表示装置モジュールを受容するケースと、
前記液晶表示装置モジュールの背光装置のランプに電源を供給するインバータと、
前記ケースとヒンジ結合するシステム本体とを含んでおり、前記第１フレームのガイド部は、前記ランプに連結されたケーブルを前記インバータが位置する方向にガイドすることを特徴とするコンピュータ。
【請求項１３】
表示領域を有する液晶表示パネルと、
前記液晶表示パネルに光を提供するランプを有する背光装置と、
前記液晶表示パネルの表示領域の縁と側面部とを包む第１フレームと、
前記第１フレームの間に前記パネルと前記背光装置とを支持する第２フレームと、
前記第２フレームに取り付けられ前記背光装置のランプの一端から引き出され、前記ランプの他端へ導かれた第１のケーブルと前記ランプの他端から引き出された第２のケーブルを共に前記ランプに沿って前記ランプの中央方向に導くようにガイドするガイド部材とを具備する液晶表示装置モジュールと、
前記液晶表示装置モジュールを受容するケースと、
前記液晶表示装置モジュールの背光装置のランプに電源を供給するインバータと、
前記ケースとヒンジ結合するシステム本体とを含んでおり、
前記ガイド部材は、前記第２フレームの外側で結合される第１面と、前記第１面で折り曲げられて前記第２フレームの側壁に当接した第２面を有し、前記第２面は、前記ランプの長手方向に沿って延長されており、前記第１、第２のケーブルが通過するための切欠き部と前記切欠き部に前記第１、第２のケーブルをガイドするために前記表示領域の外側に突出した突出部を有し、前記ランプに連結されたケーブルを前記インバータが位置する方向にガイドすることを特徴とするコンピュータ。
【発明の詳細な説明】
【０００１】
【発明の属する技術分野】
本発明は携帯用コンピュータに用いられる液晶表示装置の背光装置に関するものであり、特に液晶表示装置の背光装置ケーブルの断線を防止する構造に関するものである。
【０００２】
【従来の技術】
一般に、ノートブックコンピュータのような携帯用コンピュータは、図１に図示したように、情報入力装置であるキー入力装置１２と、記憶装置及び演算処理装置のような情報処理装置が内蔵されている本体１０と、前記本体１０とヒンジ２４とを結合する液晶表示装置アセンブリ２０を含んでおり、液晶表示装置アセンブリ２０は液晶表示装置モジュール２１と内部のモジュールとを保護して受容するケース２２とで構成されている。ケース２２は通常前方ケースすなわち上部ケースと後方ケースとに区分されるが、図１は説明の便宜のために上部ケースが取り除かれた状態の携帯用コンピュータを図示したものである。
【０００３】
また、液晶表示装置モジュール２１は、図２に図示したように、光源すなわちランプ３０を有する背光装置２３と、駆動回路ボードであるＰＣＢ(Printed Circuit Board)３２と可撓性フィルムで連結された液晶パネル１４に区分され、前記背光装置２３と液晶パネル１４とは下部フレームすなわち主要フレーム６０と上部フレームすなわちメタルフレーム７０とにより支持され、主要フレーム６０は下部カバー(図５参照)により支持される。
【０００４】
液晶表示装置モジュール２１の結合は、耐衝撃性を有する通常のプラスチック材料である主要フレーム６０上に反射板２３ａ、導光板２３ｂ、拡散または保護シート２３ｃ、第１及び第２プリズムシート２３ｄ、２３ｅ、拡散または保護シート２３ｆ及び液晶パネル１４が順に積層されて、駆動回路ボード３２が主要フレーム６０底面の一部を包んで、メタルフレーム７０を装着して構成される。
【０００５】
以下、液晶表示装置モジュール２１の構成要素である背光装置２３、主要フレーム６０、メタルフレーム７０などの個別構造を図面を参照して詳細に説明する。
【０００６】
図３は、通常の背光装置の構造を示す概略図である。
【０００７】
前記背光装置２３は、一般にランプ３０と、ランプ３０からの光を効率的に反射して集光するランプハウジング２９と、ランプ３０をターンオンする電源の役割をするインバータボード２６と、前記インバータ２５からの電圧をランプ３０に供給するケーブル２７ａ、２７ｂと、ケーブル２７とランプ３０とを連結する二つのソケット２８ａ、２８ｂとで構成される。
【０００８】
この時通常的に二つのソケット中の一つ２８ａは固定されており、他の一つ２８ｂはランプ３０の交換のために着脱可能になっている。またケーブル２７は望ましくは熱収縮チューブであり、高圧側ケーブル２７ａはハンダ付けによってランプ３０に固定されており、インバータボード２６にはハンダ付けまたはコネクタ(図示せず)によって連結されている。
【０００９】
図４は、主要フレームの構造を示している。
【００１０】
主要フレーム６０は、通常プラスチック材料で作られており、底面部６１と前記底面部の縁から延長された側面部６２とで構成されて、液晶パネル１４と背光装置２３とを支持する役割をする。また四角形の主要フレーム６０の側面部６２の内の一辺６２ａは背光装置を支持するために用いられる。
【００１１】
図５は、下部カバーの構造を示している。
【００１２】
下部カバー８０は、主要部である水平部８２と折曲部である垂直部８４とを基本的に備えており、水平部８２には主要フレームと結合されるための第１スクリューホール８６が形成されており、垂直部８４にはメタルフレーム７０と結合されるための第２スクリューホール８８が形成されている。
【００１３】
この下部カバー８０は、背光装置２３のランプ３０の長手方向に沿って主要フレーム６０を支えると共に、主要フレーム６０のたわみまたはしわを防止するためのものであり、したがって望ましくはステンレス鋼(ＳＵＳ)で作られる。
【００１４】
この下部カバーは、必要によって背光装置の反対側であるＰＣＢの位置に装着されるか、２個所すべてに用いられる場合もある。
【００１５】
図６は、メタルフレームの構造を示している。
【００１６】
メタルフレーム７０は、液晶表示装置アセンブリ２０の最終的な結合のためのものであり、液晶パネル１４の縁に沿ってメタルフレーム７０に向けた折曲部７１を有しており、主要フレーム(図４の６０)及び下部ケース(図１の２２)と結合される。
【００１７】
一方、既に説明した図４、５及び６の“Ａ”、“Ｂ”及び“Ｃ”は各々背光装置ケーブルの引き出し口を示している。
【００１８】
図７は、最終結合された液晶表示装置モジュールを示している。
【００１９】
四角形の液晶パネル１４の上部はメタルフレーム７０に囲まれており、液晶表示装置モジュール２０の下部にはランプ３０を有する背光装置２３が設けられている。またインバータ２５からの電源を背光装置２３に供給するケーブル２７は四角形の液晶表示装置モジュール２１下端の右側端に位置する引き出し口５０から一直線に出ている。これは高圧側ケーブル２７ａの直径は低圧側ケーブル２７ｂの直径よりも大きいので、液晶表示装置アセンブリ２０のディスプレー面以外の空間が徐々に小型・薄形化される趨勢にある液晶表示装置において、高圧側ケーブル２７ａが液晶表示装置モジュール２１の中央下端に位置するインバータ２５の近辺で引き出されたりランプ３０の左側端から引き出されると液晶表示装置全体が大きくなるためである。
【００２０】
しかし、前述した通常のノートブックコンピュータに採用されるこのような構造の液晶表示装置アセンブリは次のような欠点を有する。
【００２１】
第一に、液晶表示装置モジュール２１を包装または運搬する過程や、液晶モジュールを製造する過程でインバータボードとコネクタを連結する場合、あるいはその他のケーブルを処理する過程で引張力が働く場合、外力がランプとケーブルとを連結するハンダ付け部位に伝達されてランプとケーブルの接続が断線される可能性が有る。
【００２２】
第二に、ノートブックコンピュータに液晶表示装置モジュールを装着する場合、背光装置ケーブルがヒンジフレーム２４ａと接触し、熱収縮チューブまたはワイヤケーブルの被覆が損傷する場合がある。
【００２３】
第三に、通常のノートブックコンピュータの背光装置用インバータは液晶表示装置モジュールの下端中央に位置するので背光装置ケーブルは、図１に図示したように、ヒンジフレーム２４ａから延長された結合部材２４ｂを迂回してヒンジ連結部２４と液晶表示モジュール間の空間を通してインバータに連結されるので作業性の低下をきたす。
【００２４】
前記のような問題は、特に表示装置アセンブリを小型化、薄形化しながらディスプレー面を増大させるために液晶表示装置モジュール２１を除いた余裕空間がアセンブリ内部で次第に縮小しているので、ケーブル引き出し時にケーブルが損傷しないように構造を設計したとしても従来のような構造では限界がある。
【００２５】
【発明が解決しようとする課題】
したがって本発明の目的は、前述した従来技術の短所を解消した液晶表示装置モジュールを提供することである。
【００２６】
本発明の他の目的は、液晶表示装置モジュールの背光装置に用いられるケーブルの断線が防止された構造を有する液晶表示装置モジュールを提供するものである。
【００２７】
【課題を解決するための手段】
上述した目的を達成するために本発明は背光装置ケーブルの引き出し口を液晶表示装置モジュールの外廓に突出させて、ケーブルが曲がる部分をメタルフレーム等で取り囲んで、ケーブルが液晶表示装置モジュールの中央部に向くようにする構造を提供する。
【００２８】
本発明の一つの特徴によると、液晶表示装置モジュールは表示領域を有する液晶表示パネルと、前記液晶表示パネルに光を提供するランプを有する背光装置と、前記液晶表示パネルの表示領域の縁と側面部とを包む第１フレームと、前記第１フレームの間に前記パネルと前記背光装置とを支持する第２フレームと、前記背光装置のランプから引き出されたケーブルをガイドするガイド部材とを具備する。
【００２９】
前記ガイド部材は、前記第２フレームに固定されており、ステンレスで構成されている。また、前記ガイド部材は前記第２フレームと結合される第１面と、前記第１面で折り曲げられて前記第２フレームの側壁に当接した第２面を有する。
【００３０】
前記ガイド部材は、前記ランプに連結されるケーブルを前記第２フレームの外側で前記ランプの一端からランプの中心に向くようにガイドする。前記ガイド部材の前記第２面は前記ランプの長手方向に沿って延長されており、前記ランプの一端が位置する第２面は前記ケーブルが通過するための切欠き部と前記切欠き部に前記ケーブルをガイドするために外側に突出した突出部を有する。前記第２フレームは前記ガイド部材の突出部と対応する突出部を有する。前記第１フレームは前記ガイド部材の突出部と対応する突出部を有する。
【００３１】
本発明の他の一つの特徴によると、液晶表示装置モジュールは表示領域を有する液晶表示パネルと、前記液晶表示パネルに光を提供するランプを有する背光装置と、前記液晶表示パネルの表示領域の縁と側面部とを包む第１フレームと、前記第１フレームの間に前記パネルと前記背光装置とを支持する第２フレームと、前記背光装置のランプが位置する位置で前記第２フレームの外側の面と接して固定される第１面と、前記第１面に実質的に垂直であり、前記ランプの両端と連結されたケーブルを前記第２フレームの外側の方から前記ランプの中心にガイドするガイド部を備えた第２面を有する固定ユニットを具備する。
【００３２】
前記固定ユニットの第２面は、前記第２フレームの側壁と接して、前記ガイド部は前記第２面で突出形成されて、前記ランプの中央部方向に向けた引き出し口を有する。
【００３３】
本発明のまた他の一つの特徴によると、液晶表示装置モジュールは表示領域を有する液晶表示パネルと、前記液晶表示パネルに光を提供するランプを有する背光装置と、前記液晶表示パネルの表示領域の縁と側面部とを包む第１フレームと、前記第１フレームの間に前記パネルと前記背光装置とを支持する第２フレームと、前記背光装置のランプの位置で前記第２フレームに固定されて、前記第２フレームの一辺を形成するように長手方向に延長されて、前記ランプの両端と連結されたケーブルを前記ランプの中心にガイドするガイド部を備えた固定ユニットを具備する。
【００３４】
本発明のまた他の一つの特徴によると、液晶表示装置モジュールは表示領域を有する液晶表示パネルと、前記液晶表示パネルに光を提供するランプを有する背光装置と、前記液晶表示パネルの表示領域の縁と側面部を包んで、前記ランプに連結されたケーブルを前記ランプの中央部方向にガイドするガイド部を有する第１フレームと、前記第１フレームの間に前記パネルと前記背光装置とを支持する第２フレームを具備する。
【００３５】
前記第１フレームのガイド部は、前記液晶表示パネルの側面部を包む部分中前記ランプの一端の位置で外側の方に突出した突出部と前記突出部で前記ランプの中央部方向に形成されたケーブル通路を具備する。前記液晶表示装置モジュールは前記第２フレームと固定された第１面と前記第１面と実質的に垂直である第２面を有して、前記第１フレームのガイド部の通路と対応する通路を有する固定ユニットをさらに具備する。本発明のまた他の一つの特徴によると、コンピュータは表示領域を有する液晶表示パネルと、前記液晶表示パネルに光を提供するランプを有する背光装置と、前記液晶表示パネルの表示領域の縁と側面部を包んで、前記ランプに連結されたケーブルをガイドするガイド部を有する第１フレームと、前記第１フレームの間に前記パネルと前記背光装置とを支持する第２フレームを具備する液晶表示装置モジュールと、前記液晶表示装置モジュールを受容するケースと、前記液晶表示装置モジュールの背光装置のランプに電源を供給するインバータと、前記ケースとヒンジ結合するシステム本体を含んでおり、前記第１フレームのガイド部は前記ランプに連結されたケーブルを前記インバータが位置する方向にガイドする。
【００３６】
本発明のまた他の一つの特徴によると、コンピュータは表示領域を有する液晶表示パネルと、前記液晶表示パネルに光を提供するランプを有する背光装置と、前記液晶表示パネルの表示領域の縁と側面部とを包む第１フレームと、前記第１フレームの間に前記パネルと前記背光装置とを支持する第２フレームと、前記背光装置のランプと連結されたケーブルをガイドするガイド部材を具備する液晶表示装置モジュールと、前記液晶表示装置モジュールを受容するケースと、前記液晶表示装置モジュールの背光装置のランプに電源を供給するインバータと、前記ケースとヒンジ結合するシステム本体とを含んでおり、前記ガイド部材は前記ランプに連結されたケーブルを前記インバータが位置する方向にガイドする。
【００３７】
【発明の実施の形態】
以下、本発明の望ましい実施例を明細書に添付された図面を参照してより詳細に説明する。また従来技術と同一な構成及び要素は同じ参照番号を用いて重複した説明は省略する。
【００３８】
図８は、本発明の実施例による背光装置ケーブルの引き出し部が突出した形状を有する液晶表示装置モジュールを備えた携帯用コンピュータを示した斜視図である。
【００３９】
図示したように、液晶表示装置モジュール８１の下端にはランプ３０を有する背光装置２３が配設されている。ランプ３０の左側端からランプハウジング(図３の２９)下に低圧側ケーブル(図３の２７ｂ）が通過して、ランプ３０の右側端にはその厚さにおいて低圧側ケーブル２７ｂより厚い高圧側ケーブル(図３の２７ａ）がハンダ付けで固定されている。高圧側ケーブル２７ａが引き出される液晶表示装置モジュール８１の右側下端の端部分には高圧側ケーブル２７ａを保護して高圧側ケーブル２７ａを液晶表示装置モジュールの下端中央部に位置するインバータに向けるための突出した引き出し口５０が形成されている。
【００４０】
図９は、本発明による液晶表示装置モジュールの分解斜視図である。図２に図示した従来の液晶表示装置モジュールの分解斜視図と比較すると、下部カバーが主要フレームに装着されている。
【００４１】
以下、よりよい理解のために、本発明による液晶表示装置アセンブリ８０を形成する構成要素各々の構造に対して説明する。
【００４２】
図１０は、本発明による主要フレームの構造を示している。
【００４３】
従来の主要フレーム(図４参照)と比較すると、本発明の主要フレーム１００は背光装置２３が支持される辺(図４の６２)を有していない。これは背光装置２３が下部カバーによって支持することができ、また背光装置ケーブル２７のための引き出し口５０を形成する空間を確保するためでもある。すなわち、液晶表示装置アセンブリ８０の大きさが一定な場合、ヒンジフレーム２４ａと液晶表示装置モジュール８１間の空間でケーブル２７の引き出し口が突出されたとすれば、これはケーブル２７が入るための突出した引き出し口５０の突出した幅を確保するためには液晶表示装置モジュール８１の大きさは減少する必要がある。したがって液晶表示装置モジュール８１の大きさを一定にしながらもケーブル２７が引き出し口５０に入るようにするために主要フレームの辺１０２中一辺(図４の６２)を除去したものである。
【００４４】
また背光装置を支持する側面部すなわち辺(図４の６２ａ）がない代わりに、本発明による主要フレーム１００は主要フレーム１００の全体的な高さを補償するために、望ましくは主要フレームの底面部１０１と接触せずに浮いており、突出した引き出し口５０のための突出部“Ｅ”を有する切断された辺状の支持部１０４を有する。前記底面部１０１と前記支持部１０４の間の空間には前記背光装置のケーブルが通過する。
【００４５】
また、図１１は、変形例であり、望ましくは底面と接触せずに浮いており、突出した引き出し口５０のための突出部“Ｆ”を有する支持部１０４を形成して液晶表示モジュールの全体的な高さを支持する場合である。
【００４６】
また、図１２は他の変形例であり、本発明による主要フレーム１００は図４の背光装置を支持する支持辺６２ａをそのまま形成して、突出した引き出し口５０のための突出部“Ｇ”を有する。
【００４７】
図１３は、本発明による下部カバーを示している。
【００４８】
本発明による下部カバー１３０は、背光装置ケーブル２７のための突出した引き出し口“Ｈ”を有する。本発明の突出した引き出し口５０は望ましくは下部カバー１３０によって形成される。
【００４９】
図１４は、図１２の下部カバーの変形として主要フレーム６０の全体的な支持のための構造であり、下部カバー１３０は突出した引き出し口“Ｉ”を有する。
【００５０】
図１５は、本発明によるメタルフレームの構造を示している。
【００５１】
本発明によるメタルフレーム７０は、望ましくは背光装置ケーブル２７のための突出した引き出し口“Ｊ”を有する。しかし本発明の突出した引き出し口５０は、上述したように、下部カバー１３０によって形成されるので図面でのような突出した形状を有しなくても良い。またメタルフレーム１５０がケーブル２７のための突出した引き出し口５０を形成する場合には下部カバー１３０が突出した引き出し口５０を持たない場合もある。
【００５２】
図１６は、本発明による液晶表示装置アセンブリが最終的に結合された状態を図示している。
【００５３】
前述のように、液晶表示装置モジュール２１の下部右側端に背光装置ケーブル２７のための突出した引き出し口すなわちケーブルガイド５０が形成されている。
【００５４】
この時、結合時突出した引き出し口５０を形成するために、上述したように、下部カバー１３０やメタルフレーム１５０の内の少なくとも１つが突出部を有すればよい。そして、メタルフレーム１５０が突出した引き出し口５０を有する場合、主要フレーム１５０の突出部“Ｇ”(図１２参照)を有する一辺６２を形成して下部カバー１３０を取り除いて結合してもよい。
【００５５】
この突出した引き出し口５０は、基本的にヒンジフレーム２４と液晶表示装置モジュール２１間の小さい空間を利用して形成されているので液晶表示装置の全体的な大きさを増加させずに背光装置のヒンジフレーム２４によりケーブル２７ａの損傷を防止することができる。
【００５６】
またこの突出した引き出し口５０は、液晶表示装置モジュール２１の取扱時にランプ３０とケーブル２７ａを連結するハンダ付け部位に加わる可能性のある引張り力を減少させてケーブル２７ａのハンダ付け部位からの断線を防止する。
【００５７】
また従来のケーブル２７の引き出し口では、ケーブル２７がヒンジフレーム２４ａから延長された結合部材２４ｂを迂回していたが、この突出部５０によってケーブル２７ａが自然にインバータ２５に向くようになるので作業性がより向上する。
【００５８】
図１７は、このような構造をより理解しやすいように本発明による背光装置の結合関係の一例を図示した図面である。
【００５９】
ランプハウジング２９内のランプ３０と、その両端に結合されたケーブル２７ａ、２７ｂとは主要フレーム１００と下部カバー１３０とにより支持されており、下部カバー１３０と主要フレーム１００はスクリュー１０５により相互に結合される。高圧側ケーブル２７ａは下部カバー１３０のガイド、すなわち引き出し口(図１３のＨまたは図１４のＩ)によりガイドされてランプの中央方向に引き出される。各ケーブル２７ａ、２７ｂはコネクタ３５を通してランプ３０の中央付近に位置するインバータボード(図８の２６)と結合される。
【００６０】
【発明の効果】
以上で説明したように、本発明による背光装置のケーブルを保護するための突出部が形成された液晶表示装置モジュールによると次のような利点がある。
【００６１】
第一に、ヒンジフレームによる背光装置ケーブルの損傷を防止できる。
【００６２】
第二に、液晶表示装置モジュールの取扱時にランプとケーブルとに加わる可能性のある引張り力を減少させてケーブルがランプから断線されることを防止できる。
【００６３】
第三に、ケーブルがヒンジフレームから延長された結合部材を迂回せずに直接インバータに向くので作業性がより向上される。
【００６４】
一方、上述した本発明の実施例は単に例示であり、本発明の技術的思想に基づいて多様な変化と変形が可能なことは本発明が属する分野の通常の知識を有する当業者が当然に理解するところである。
【図面の簡単な説明】
【図１】上部ケースが取り除かれた状態の従来の携帯用コンピュータを示す斜視図である。
【図２】従来の液晶表示装置モジュールの分解斜視図である。
【図３】一般的な液晶表示装置モジュールの背光装置の構造を示す略構造図である。
【図４】従来の液晶表示装置モジュールの主要フレームを示す斜視図である。
【図５】従来の携帯用コンピュータの下部カバーを示す斜視図である。
【図６】従来の携帯用コンピュータのメタルフレームを示す斜視図である。
【図７】従来の携帯用コンピュータの最終結合された液晶表示装置アセンブリを示す斜視図である。
【図８】本発明による上部ケースが取り除かれた状態の携帯用コンピュータを示す平面図である。
【図９】本発明による液晶表示装置モジュールの分解斜視図である。
【図１０】本発明による液晶表示装置モジュールの主要フレームを示す斜視図である。
【図１１】本発明による液晶表示装置モジュールの主要フレームの変形を示す斜視図である。
【図１２】本発明による液晶表示装置モジュールの主要フレームのまた他の変形を示す斜視図である。
【図１３】本発明による液晶表示装置モジュールの下部カバーを示す斜視図である。
【図１４】本発明による液晶表示装置モジュールの下部カバーの変形を示す斜視図である。
【図１５】本発明による液晶表示装置モジュールのメタルフレームを示す斜視図である。
【図１６】本発明による最終結合された液晶表示装置アセンブリを示す斜視図である。
【図１７】本発明の一実施例による背光装置の結合関係を図示した一部断面図である。
【符号の説明】
１０:本体
２７:ケーブル
５０:突出した引き出し口
８０:液晶表示装置アセンブリ
８１:液晶表示装置モジュール
１００:主要フレーム
１３０:メタルフレーム
１５０:下部カバー
【図１】
0004169935.tif 000002
【図２】
0004169935.tif 000003
【図３】
0004169935.tif 000004
【図４】
0004169935.tif 000005
【図５】
0004169935.tif 000006
【図６】
0004169935.tif 000007
【図７】
0004169935.tif 000008
【図８】
0004169935.tif 000009
【図９】
0004169935.tif 000010
【図１０】
0004169935.tif 000011
【図１１】
0004169935.tif 000012
【図１２】
0004169935.tif 000013
【図１３】
0004169935.tif 000014
【図１４】
0004169935.tif 000015
【図１５】
0004169935.tif 000016
【図１６】
0004169935.tif 000017
【図１７】
0004169935.tif 000018